(57)【要約】【課題】通常の便器掃除ブラシと同様の労力で目皿ポットを清掃できるとともに、清掃の際に生じた汚水を周囲に飛び散らせない目皿ポットクリーナーを提供する。【解決手段】この発明の目皿ポットクリーナー１は、第一挟持部１１ｂと第二挟持部１１ｃからなる二股挟持部を有する柄部１１と、二股挟持部に挟持された略円柱形状の清掃部１２とを備えている。また、清掃部１２は、スポンジ等からなる粗部１２ａと、粗部１２ａよりも、単位長さ当たりのセル（気泡）の数であるセル数が大きなスポンジ等からなる密部１２ｂとを備えている。目皿ポットクリーナー１は、目が詰まった密部１２で目皿ポットを洗浄するので洗浄効果が高く、目皿ポットを清掃する際に密部１２ｂで生じた汚水がより空隙度が高い粗部１２ｂに移行したのちに便器に落下するので、汚水を周囲に飛び散らせない。【選択図】図５
2015019855.tif 000002
【特許請求の範囲】
【請求項１】
一端に二股挟持部を有する柄部と、二股挟持部に挟持された略円柱形状の清掃部とを備え、
清掃部が、弾性多孔質素材からなる粗部と、粗部の相対する二面に配置され、粗部よりも、単位長さ当たりのセル（気泡）の数であるセル数が大きい弾性多孔質素材からなる密部とを備え、
密部が配置されておらず、かつ相対する粗部の二面が、二股挟持部によって挟持される目皿ポットクリーナー。
【請求項２】
弾性多孔質素材が、合成樹脂製スポンジである請求項１に記載の目皿ポットクリーナー。
【発明の詳細な説明】
【技術分野】
【０００１】
この発明は、男性小便器の底部に設けられている目皿ポットの清掃に使用する目皿ポットクリーナーに関する。
【背景技術】
【０００２】
目皿ポットは、男性用小便器の底部に設けられ、小便器からの汚水が下水管に流れる通り道である。目皿ポットは、通常、円筒形状であるため、一般的な便器掃除ブラシでは清掃し難く、歯ブラシ、靴ブラシ、コップ洗ブラシ等によって掃除せざるを得なかった（非特許文献１を参照。）。ただ、これらのブラシは、目皿ポットと形状や大きさが異なるので、掃除し難く、汚水が飛び散り、その効率も悪かった。
【０００３】
そのため、目皿ポットは小便器の他の部分とともに清掃されはするものの、汚れが溜まり易く、清掃と清掃の間に目皿ポットに尿石が発生してしまうことがあるとの問題点があった。
【０００４】
なお、尿石は、尿中の有機物や尿素、カルシウムイオンが滞留中に腐敗分解濃縮したものであって、小便臭の主な原因であり、尿石の清掃には比較的強い酸性で人体に有害な洗剤を使用する必要がある。
【０００５】
さて、このような問題点を解決するため、従来から、プラスチック製の長柄の先端に設けられた二股挟持部の間に複数のスポンジ板を挟持させた便所等摺洗具が発明されている（特許文献１を参照。）。ただ、この便所等摺洗具には、便器を洗浄する際、スポンジ板の外側に汚水が留まってしまうため、汚水が周囲に飛び散るとの問題点があった。
【先行技術文献】
【特許文献】
【０００６】
【特許文献１】実開昭５０−２０４６０号公報
【非特許文献】
【０００７】
【非特許文献１】「尿石除去剤や尿石防止剤の専門店  〜尿石の落とし方  尿石の取り方〜」、[online]、有限会社  小坂井衛生社、[平成２５年７月３日検索]、インターネット<URL:http://www.seiketu.net/original7.html>
【発明の概要】
【発明が解決しようとする課題】
【０００８】
そこで、この発明は、通常の便器掃除ブラシと同様の労力しか必要とせず、便器の他の部分と同程度に清掃できるとともに、清掃の際に生じた汚水を周囲に飛び散らせない目皿ポットクリーナーを提供することを課題とする。
【課題を解決するための手段】
【０００９】
すなわち、この発明の目皿ポットクリーナーは、一端に二股挟持部を有する柄部と、二股挟持部に挟持された略円柱形状の清掃部とを備え、清掃部が、弾性多孔質素材からなる粗部と、粗部の相対する二面に配置され、粗部よりも、単位長さ当たりのセル（気泡）の数であるセル数が大きい弾性多孔質素材からなる密部とを備え、密部が配置されておらず、かつ相対する粗部の二面が、二股挟持部によって挟持されるものである。なお、弾性多孔質素材は合成樹脂製スポンジが好ましく、ポリウレタン製スポンジがより好ましい。
【発明の効果】
【００１０】
この発明の目皿ポットクリーナーは、清掃部の形状が略円柱形状であるので、目皿ポットの清掃に適しており、目皿ポットを効率よく清掃でき、尿石を発生させることもない。また、目皿ポットを洗浄した際に生じる汚水が、目皿ポットの壁面と接触した密部から中心部にある粗部を経由して下に落ちるので、汚水を飛び散らせることもない。
【図面の簡単な説明】
【００１１】
【図１】図１は、目皿ポットクリーナーの外観図である。
【図２】図２は、柄部の外観図である。
【図３】図３は、清掃部の側面視断面図である。
【図４】図４は、目皿ポットクリーナーの組立工程の一部を示す図である。
【図５】図５は、図１に記載の目皿ポットクリーナーのＡ−Ａ部分の断面図である。
【図６】図６は、図５のＸ−Ｘ部分の断面図である。
【図７】図７は、目皿ポットクリーナーを柄部とは反対側から見た外観図である。
【図８】図８は、目皿ポットクリーナーの使用状態を示す図である。
【発明を実施するための形態】
【００１２】
この発明の実施形態を図面に基づいて説明する。なお、以下に述べる実施形態はこの発明を具体化した一例に過ぎず、この発明の技術的範囲を限定するものでない。
【００１３】
図１は、この発明に係る目皿ポットクリーナー１の外観図である。この図に示すように、目皿ポットクリーナー１は、柄部１１とその一端に挟持された略円柱形状の清掃部１２とを備えている。なお、目皿ポットクリーナーとは、特に便器内の目皿ポット部分の清掃に適した便器清掃用具である。
【００１４】
図２は、目皿ポットクリーナー１から清掃部１２を取り外した柄部１１の外観図である。この図に示すように、柄部１１は、目皿ポットクリーナーの使用者が手で握るための把持部１１ａと、第一挟持部１１ｂ及び第二挟持部１１ｃからなる二股挟持部と、を備えている。
【００１５】
また、第二挟持部１１ｃの上面には清掃部１２に挿入される固定ピン１１ｄが設けてあり、第一挟持部１１ｂの先端部には、固定ピン１１ｄが通過する貫通孔１１ｅが設けてある。そして、貫通孔１１ｅを通過した固定ピン１１ｄの先端をこの状態で固定するため、固定ピン１１ｄの先端には矢尻型の係止部が設けてある、なお、この係止部は二股挟持部に力を加えて押さえ込むと、貫通孔１１ｅを通過できるよう変形する。
【００１６】
さらに、第一挟持部１１ｂと第二挟持部１１ｃの相対する面には、挟持した清掃部１２の抜け落ちを防ぐための鋸歯状突起１１ｆが設けてある。なお、柄部１１は、ポリプロピレンなどの合成樹脂から、射出成形などの公知の方法によって製造できる。
【００１７】
図３は、柄部１１から取り外された清掃部１２の側面視断面図である。この図に示すように、清掃部１２は、その中心部を構成する粗部１２ａと、粗部１２ａの相対する面に配置された密部１２ｂと、を備えている。
【００１８】
粗部１２ａと密部１２ｂは、連続気泡を有する弾性多孔質素材から構成され、粗部１２ａのほうが密部１２ｂよりもセル数が小さい。なお、セル数とは、弾性多孔質素材の単位長さ（25mm）当たりのセル（気泡）の数のことであり、セル数が大きいものほど目が詰まったものになる。なお、セル数は、弾性多孔質素材のある区間に含まれるセルの数を顕微鏡などで数えることによって測定・算出した値である。
【００１９】
弾性多孔質素材のセル数は８〜７５であり、中でも、粗部１２ａのセル数は８〜１０が好ましく、密部１２ｂのセル数は１１〜１５が好ましい。
【００２０】
粗部１２ａと密部１２ｂを構成する弾性多孔質素材としては、公知の連続気泡を有する弾性多孔質素材であれば、特に限定することなく使用できる。例えば、ポリウレタン、ポリスチレン、メラミンなどの公知の合成樹脂から公知の方法で製造したスポンジ、ナイロン（登録商標）製不織布、ポリエステル製不織布が挙げられる。
【００２１】
なお、密部１２ｂをポリウレタンなどの合成樹脂製スポンジで構成する場合には、通常の方法で製造されたスポンジを熱圧縮したものが好ましい。熱圧縮によってスポンジの耐久性が向上するとともに、スポンジの骨格が太くなって洗浄効果も向上するからである。
【００２２】
また、清掃部１２は、粗部１２ａの相対する面に密部１２ｂを配置したのち、粗部１２ａと密部１２ｂとを接着剤や熱溶着などの公知の方法によって接着してもよく、接着せずに配置したまにしておいてもよい。
【００２３】
このような清掃部１２としては、例えば、セル数の異なる合成樹脂製スポンジを接着剤で接着したもの、合成樹脂製スポンジの両面にナイロン（登録商標）製不織布を接着剤で接着したものなどが挙げられる。中でも、入手し易いことから、セル数の異なる合成樹脂製スポンジを接着剤で接着したスポンジが好ましく、安価であることから、セル数の異なるポリウレタン製スポンジを接着剤で接着したスポンジがより好ましい。なお、接着剤による接着には、ポリウレタン系接着剤などの公知の接着剤を、スプレー等によってスポンジに噴霧したのち、スポンジを重貼りする等の公知の方法が使用できる。
【００２４】
この発明の目皿ポットクリーナー１は、前記の柄部１１と清掃部１２から、例えば、次のようにして組み立てられる。まず、清掃部１２の一端を変形させて、柄部１１の第一挟持部１１ｂと第二挟持部１１ｃの間に嵌め込む。この際、図４に示すように、第二挟持部１１ｃの固定ピン１１ｄが清掃部１２の粗部１２ａに突き刺さるような向きで嵌め込む。
【００２５】
つぎに、固定ピン１１ｄの先端部分に設けられた矢尻型の係止部が、清掃部１２の粗部１２ａを経由して貫通孔１１ｅの通過するまで、第一挟持部１１ｂと第二挟持部１１ｃとを押さえ込む。これによって、固定ピン１１ｄが貫通孔１１ｅを通過した状態で固定され、清掃部１２が柄部１１に挟持された状態が維持される。そのため、固定ピン１１ｄの先端を削除などしない限り、清掃部１２は柄部１１から外れない。
【００２６】
このようにして、組み立てた目皿ポットクリーナー１の断面図を図５に示す。なお、図５は図１に記載の目皿ポットクリーナーのＡ−Ａ部分の断面図である。図５に示すように、清掃部１２は、第一挟持部１１ｂと第二挟持部１１ｃによって挟持され、固定ピン１１ｄによって固定されている。また、図５に示すように、清掃部１２の挟持されている部分は清掃部１２の内側に押し込まれ、清掃部１２の挟持されていない部分は、柄部１１とは反対側（先端側）に向かって広がっている。すなわち、清掃部１２はその先端側に向かって広がった略円柱形状をしている。
【００２７】
目皿ポットクリーナー１を図５とは異なる方向で切断した断面図を図６に示す。なお、図６は図５のＸ−Ｘ部分の断面図である。この図に示すように、清掃部１２の挟持されている部分の断面は略円形である。また、目皿ポットクリーナー１を清掃部１２の先端側から見た図を図７に示す。この図に示すように、清掃部１２の先端側で、粗部１２ａは密部１２ｂの間から露出している。
【００２８】
そのため、図８に示すように、目皿ポットクリーナー１を使用して、男性用小便器Ｂの底部に設けられた目皿ポットＭを清掃する際には、清掃部１２が目皿ポットの内壁面の形状に適合した略円柱形状であるので、清掃部１２の密部１２ｂが目皿ポットＭの内壁面に密着して、効率よく摺り洗いできる。また、清掃の際に生じた汚水は、密部１２ｂよりもセル数の小さい粗部１２ａに移行したのちに、粗部１２ａの先端から目皿ポットＭの底に落ちるので、周囲に飛び散らない。
【００２９】
なお、この発明は前記実施形態に限定されるものではなく、特許請求の範囲に記載した範囲内で様々な変更を加えることができる。
【００３０】
例えば、清掃部１２が、その先端側に向かって、すなわち柄部１１とは反対向きの方向に向かって、先細りになっていてもよい。これによって、目皿ポットクリーナー１を目皿ポットＭに挿入し易くなる。また、前記実施の形態では、固定ピン１１ｄは第二挟持部１１ｃと一体化していたが、独立分離していてもよく、第一挟持部１１ｂと一体化していてもよい。さらに、把持部１１ａの後端にあるフックの形状、把持部１１ａの形状、把持部と二股挟持部との取付角などは、市場動向に応じて自由に変更すればよい。
【符号の説明】
【００３１】
１      目皿ポットクリーナー
１１    柄部
１１ａ  把持部
１１ｂ  第一挟持部
１１ｃ  第二挟持部
１１ｄ  固定ピン
１１ｅ  貫通孔
１１ｆ  鋸歯状突起
１２    清掃部
１２ａ  粗部
１２ｂ  密部
【図１】
2015019855.tif 000003
【図２】
2015019855.tif 000004
【図３】
2015019855.tif 000005
【図４】
2015019855.tif 000006
【図５】
2015019855.tif 000007
【図６】
2015019855.tif 000008
【図７】
2015019855.tif 000009
【図８】
2015019855.tif 000010